(57)【要約】【課題】入浴者の心拍数を計測するためのたとえば心拍センサの故障を容易に把握することのできる浴室システムを提供する。【解決手段】浴槽Ｂ内に給湯を行うための給湯装置本体１と、この給湯装置本体１を遠隔操作するための浴室リモコン４と、入浴者の心拍動作を検出するための心拍電極６とを備える浴室システムであって、浴槽Ｂ内にいる入浴者を検出するための水位検出センサ５と、この水位検出センサ５によって浴槽Ｂ内に入浴者がいることが検出された後、心拍電極６によって検出された心拍信号を受信したか否かを判別し、その判別結果に基づいて心拍電極６の故障の有無を検出する計測装置４とを備える。【選択図】  図６
2004337413.tif 000002
【特許請求の範囲】
【請求項１】
浴槽内に給湯を行うための給湯装置と、この給湯装置を遠隔操作するための遠隔操作装置と、入浴者の心拍動作を検出するための心拍検出手段と、を備える浴室システムであって、
前記浴槽内にいる入浴者を検出するための入浴者検出手段と、
前記入浴者検出手段によって前記浴槽内に入浴者がいることが検出された後、前記心拍検出手段によって検出された心拍信号を受信したか否かを判別する判別手段と、
前記判別手段による判別結果に基づいて、前記心拍検出手段の故障の有無を検出する故障検出手段と、
を備えることを特徴とする浴室システム。
【請求項２】
前記入浴者検出手段は、前記浴槽内の湯水の水位上昇を検出するための水位検出手段によって構成されている、請求項１に記載の浴室システム。
【請求項３】
前記入浴者検出手段は、前記浴槽内における入浴者の動きを検出する撮像手段によって構成されている、請求項１に記載の浴室システム。
【請求項４】
前記遠隔操作装置には、前記故障検出手段によって前記心拍検出手段の故障が検出されたとき、その旨を報知する報知手段が備えられている、請求項１ないし３のいずれかに記載の浴室システム。
【発明の詳細な説明】
【０００１】
【発明の属する技術分野】
本願発明は、入浴しながら心拍数を計測することのできる心拍数計測機能が付加された浴室システムに関する。
【０００２】
【従来の技術】
従来より、浴槽などに給湯を行う給湯装置としては、給湯装置本体と、それに２芯線等によって接続された浴室リモコンや台所リモコンとを備えて構成されている。
【０００３】
給湯装置本体は、給湯用、風呂追い焚き用および温水暖房用等の熱交換器を備える燃焼ユニットと、この燃焼ユニットを制御するマイクロコンピュータ（以下、単に「マイコン」という。）を備える制御部とが設けられている。一方、浴室リモコンや台所リモコンは、給湯装置本体の給湯運転を遠隔操作するためのものであり、操作スイッチや液晶表示器等を有する操作表示部が備えられている。浴室リモコンや台所リモコンには、給湯装置本体から２芯線等の接続線を介して電源が供給される。
【０００４】
一方、入浴しているユーザの心拍数を計測する計測装置を備えた浴室システムが提案されている（たとえば、特許文献１参照。）。このような浴室システムの中には、上記計測装置に対して給湯装置本体から電源電圧が供給され、計測装置で計測した心拍数を浴室リモコン等の操作表示部に表示するものもある。
【０００５】
【特許文献１】
特開平１０−１２７５９１号公報
【０００６】
【発明が解決しようとする課題】
上記浴室システムによれば、ユーザが入浴すれば、心拍センサによってユーザの心拍数が検出され、計測装置によって心拍数が計測されると、たとえば浴室リモコンの操作表示部に、計測された心拍数が表示される。これにより、ユーザは、自己の心拍数を確認することができ、健康を管理するための情報として活用することができる。
【０００７】
しかしながら、入浴中のユーザの心拍数を検出するための心拍センサに故障があると、計測装置によって心拍数を計測することができず、この場合、ユーザが入浴しているのにもかかわらず、心拍数を適切に表示することができなくなる。また、操作表示部にはエラー表示もされないため、ユーザに不信感を与えるものであった。
【０００８】
【発明の開示】
本願発明は、上記した事情のもとで考え出されたものであって、入浴者の心拍数を計測するためのたとえば心拍センサの故障を容易に把握することのできる浴室システムを提供することを、その課題とする。
【０００９】
上記の課題を解決するため、本願発明では、次の技術的手段を講じている。
【００１０】
本願発明にかかる浴室システムは、浴槽内に給湯を行うための給湯装置と、この給湯装置を遠隔操作するための遠隔操作装置と、入浴者の心拍動作を検出するための心拍検出手段と、を備える浴室システムであって、前記浴槽内にいる入浴者を検出するための入浴者検出手段と、前記入浴者検出手段によって前記浴槽内に入浴者がいることが検出された後、前記心拍検出手段によって検出された心拍信号を受信したか否かを判別する判別手段と、前記判別手段による判別結果に基づいて、前記心拍検出手段の故障の有無を検出する故障検出手段と、を備えることを特徴としている。
【００１１】
好ましい実施の形態によれば、前記入浴者検出手段は、前記浴槽内の湯水の水位上昇を検出するための水位検出手段（たとえば水位検出センサ）によって構成されていてもよい。
【００１２】
また、前記入浴者検出手段は、前記入浴者検出手段は、前記浴槽内における入浴者の動きを検出する撮像手段（たとえば撮像センサ）によって構成されていてもよい。
【００１３】
他の好ましい実施の形態によれば、前記遠隔操作装置には、前記故障検出手段によって前記心拍検出手段の故障が検出されたとき、その旨を報知する報知手段が備えられていてもよい。
【００１４】
上記構成によれば、入浴者検出手段によって浴槽内に入浴者がいることを検出した後で、心拍検出手段（たとえば心拍電極）によって検出された心拍信号を受信したか否かを判別し、その判別結果に基づいて心拍検出手段の故障の有無を検出するので、心拍検出手段の故障を容易に検出することができるとともに、この故障の有無をたとえば遠隔操作装置において報知するようにすれば、ユーザは、心拍検出手段の故障を容易に把握することができ、信頼性の高い浴室システムを提供することができる。
【００１５】
本願発明のその他の特徴および利点は、添付図面を参照して以下に行う詳細な説明によって、より明らかとなろう。
【００１６】
【発明の実施の形態】
以下、本願発明の好ましい実施の形態を、添付図面を参照して具体的に説明する。
【００１７】
図１は、本願発明にかかる浴室システムを示す概略構成図である。図２は、この浴室システムの電気的構成を示す図である。この浴室システムは、給湯装置本体１と、これを遠隔操作するための台所リモコン２および浴室リモコン３と、入浴者の心拍数を計測するための計測装置４と、浴槽Ｂ内の湯水の水位を検出するための水位検出センサ５（請求項に記載の水位検出手段に相当）と、心拍センサとしての複数の心拍電極６ａ，６ｂ，６ｃ（以下、総称するときは「心拍電極６」という。）とによって概略構成されている。給湯装置本体１は、２芯線７を介して台所リモコン２、浴室リモコン３、および計測装置４を接続している。
【００１８】
給湯装置本体１は、図２に示すように、たとえば住宅の屋外に設置され、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００１９】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４などを有している。本体側マイコン１２は、給湯装置本体１の制御中枢となるものであり、図示しないＲＯＭに記憶されている運転実行プログラム、あるいは台所リモコン２、浴室リモコン３や図示しない暖房用機器などから送られる操作信号などに基づいて、各種燃焼器の燃焼状態や各種バルブの開閉を制御する。
【００２０】
また、制御部１１は、計測装置４から入浴者の心拍数の情報を受け取ると、それを台所リモコン２や浴室リモコン３の表示部（後述）に表示させるために、それらに伝達する機能を有する。
【００２１】
ＥＥＰＲＯＭ１３は、各種のデータを必要に応じて記憶するものである。
【００２２】
通信部１４は、台所リモコン２や浴室リモコン３との通信を行うためのものであり、所定の変復調方式に基づいた変復調回路によって構成されている。給湯装置本体１から台所リモコン２および浴室リモコン３に対しては、２芯線７を介して電源供給（たとえばＤＣ１５Ｖ）がされており、上記通信部１４において変調されたデータ信号は、電源電圧に重畳され、この２芯線７を介して台所リモコン２および浴室リモコン３に伝達される。また、台所リモコン２および浴室リモコン３から上記２芯線７を介して伝達された操作信号としてのデータ信号は、上記通信部１４において復調され、本体側マイコン１２に送られる。
【００２３】
台所リモコン２は、図３に示すように、たとえばキッチンの流し台近傍に設置された略直方体形状のケースを備えており、ユーザによる操作に基づいて、給湯装置本体１を遠隔操作する。台所リモコン２は、制御部２１、通信部２２、表示部２３、および操作部２４を備えている。制御部２１は、マイクロコンピュータ２５（以下、単に「台所側マイコン２５」という）、およびＥＥＰＲＯＭ２６を備えている。
【００２４】
台所側マイコン２５は、この台所リモコン２の制御を司るものであり、図示しないＲＯＭによって記憶されている運転実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示したり、スピーカ２４ｅ（後述）から音声を出力したりする。
【００２５】
また、台所側マイコン２５は、計測装置４によって計測された入浴者の心拍数の情報を給湯装置本体１から受け取ると、表示部２３に表示させる機能を有する。
【００２６】
ＥＥＰＲＯＭ２６は、各種のデータを必要に応じて記憶するものである。
【００２７】
通信部２２は、給湯装置本体１や浴室リモコン３との通信を行うためのものであり、所定の変復調方式に基づいた変復調回路によって構成されている。給湯装置本体１から２芯線７を介して伝達されたデータ信号は、この通信部２２において復調され、台所側マイコン２５に送られる。また、通信部２２において変調されたデータ信号は、２芯線７を介して給湯装置本体１に伝達される。また、浴室リモコン３から給湯装置本体１を介して伝達されたデータ信号は、この通信部２２において復調され、台所側マイコン２５に送られる。また、通信部２２において変調されたデータ信号は、給湯装置本体１を介して浴室リモコン３に伝達される。
【００２８】
表示部２３は、図３に示したように、たとえば多数の蛍光体をドットマトリクス状に配置した蛍光管や液晶ディスプレイ装置などからなり、台所側マイコン２５からの指令により風呂湯の設定温度やバーナの点火状況などを表示する。さらに、計測装置４によって計測された入浴者の心拍数の情報を表示する。そのため、たとえば高齢者や要介護者などが入浴しているときに、その入浴者の状態を入浴者の心拍数などを通じて台所において監視することができる。
【００２９】
操作部２４は、ユーザによって給湯運転や暖房運転などを行うために操作されるものであって、複数のキースイッチからなる。具体的には、運転の発停を行うためのスイッチ２４ａ、湯水の温度の設定などといった各種の設定を行うための設定スイッチ２４ｂ、ユーザの操作により自動で湯張りや保温などを行うための風呂自動スイッチ２４ｃ、および台所にいる者が必要に応じて入浴者と通話するための通話スイッチ２４ｄなどが設けられている。ユーザによって、これらのキースイッチが操作されると、その操作信号が台所側マイコン２５に送られる。なお、図３中、符号２４ｅはスピーカを示す。
【００３０】
一方、浴室リモコン３は、図４に示すように、浴室内の浴槽の近傍などに設置された、防水機能が施されたケースを備えており、台所リモコン２と同様に、給湯装置本体１を遠隔操作する。浴室リモコン３は、図２に示すように、制御部３１、通信部３２、表示部３３、および操作部３４を備えている。制御部３１は、マイクロコンピュータ３５（以下、単に「浴室側マイコン３５」という）、およびＥＥＰＲＯＭ３６を備えている。
【００３１】
浴室側マイコン３５は、この浴室リモコン３の制御を司るものであり、図示しないＲＯＭによって記憶されている実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示したり、スピーカ３４ｇ（後述）から音声を出力したりする。
【００３２】
ＥＥＰＲＯＭ３６は、各種のデータを必要に応じて記憶するものである。
【００３３】
通信部３２は、給湯装置本体１や台所リモコン２との通信を行うためのものであり、所定の変復調方式に基づいた変復調回路によって構成されている。給湯装置本体１からあるいは台所リモコン２から２芯線７を介して伝達されたデータ信号は、この通信部３２において復調され、浴室側マイコン３５に送られる。また、通信部３２において変調された信号は、２芯線７を介して給湯装置本体１にあるいは台所リモコン２に伝達される。
【００３４】
表示部３３は、図４に示すように、たとえば多数の蛍光体をドットマトリクス状に配置した蛍光管や液晶ディスプレイ装置などからなり、台所リモコン２の表示部２３と同様に、浴室側マイコン３５からの指令により風呂湯の設定温度やバーナの点火状況などを表示する。さらに、入浴者の心拍数を表示する。
【００３５】
操作部３４は、ユーザによって給湯運転を入力するために操作されるものであって、複数のキースイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、および入浴者が必要に応じて台所にいる者と通話するための通話スイッチ３４ｆなどが設けられている。ユーザによって、これらのキースイッチが操作されると、その操作信号が浴室側マイコン３５に送られる。なお、図４中、符号３４ｇはスピーカを示す。
【００３６】
図１および図２に戻り、計測装置４は、入浴者の心拍数を計測するためのものであり、浴室内の浴槽Ｂに設けられている。計測装置４は、制御部４１および通信部４２を備えている。制御部４１は、マイクロコンピュータ４３（以下、単に「計測側マイコン４３」という）、ＥＥＰＲＯＭ４４、Ｉ／Ｏ部４５、および信号処理部４６を備えている。Ｉ／Ｏ部４５には、水位検出センサ５および信号処理部４６が接続され、信号処理部４６には、複数の心拍電極６が接続されている。
【００３７】
計測側マイコン４３は、この計測装置４の制御を司るものであり、図示しないＲＯＭによって記憶されている実行プログラムや水位検出センサ５および心拍電極６からの出力に基づいてデータ処理を実行する。たとえば、計測側マイコン４３は、心拍電極６によって検出された心拍電圧に基づいて、入浴者の心拍数を演算によって求める。また、計測側マイコン４３は、水位検出センサ５からの出力などに基づいて、入浴者の安全監視制御（後述）を行う。
【００３８】
ＥＥＰＲＯＭ４４は、各種のデータを必要に応じて記憶するものである。
【００３９】
信号処理部４６は、心拍電極６によって検出された心拍信号としてのアナログ信号を所定のディジタル信号に変換して計測側マイコン４３に与えるものである。より具体的には、信号処理部４６は、図５に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数以上のノイズを除去するための第２フィルタ回路４６ｃと、この第２フィルタ回路４６ｃによって得られた心拍信号をさらに増幅するための増幅回路４６ｄとを有している。増幅回路４６ｄは、Ｉ／Ｏ部４５に接続されている。
【００４０】
通信部４２は、給湯装置本体１との通信を行うためのものであり、所定の変復調方式に基づいた変復調回路によって構成されている。給湯装置本体１から２芯線７を介して伝達されたデータ信号は、この通信部４２において復調され、計測側マイコン４３に送られる。また、通信部４２において変調された信号は、２芯線７を介して給湯装置本体１に伝達される。
【００４１】
また、計測装置４は、給湯装置本体１からこの２芯線７を介して電源供給（たとえばＤＣ１５Ｖ）がされており、上記したデータ信号は、電源電圧に重畳されて送られる。
【００４２】
水位検出センサ５は、浴槽Ｂ内に溜められた湯水の水位を検出するものである。検出された検出信号は、ユーザが浴槽Ｂ内に入ったか否かの判別に用いられ、Ｉ／Ｏ部４５を介して計測側マイコン４３に送られる。この水位検出センサ５は、たとえば浴槽Ｂの水頭圧と大気圧との差圧によって水位を検出するものである。そのため、受圧部の大気側は、ブリーザパイプ５ａ（図１参照）によって浴室外（大気）に開放されている。
【００４３】
心拍電極６は、図１に示すように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、浴槽Ｂにおいてほぼ同様の高さ位置に配置されている。この心拍電極６によって検出された心拍信号は、計測装置４の信号処理部４６に送られる。
【００４４】
次に、上記の構成における作用について、図６に示すフローチャートを参照して説明する。
【００４５】
まず、計測側マイコン４３は、水位検出センサ５からの検出信号を監視し、浴槽Ｂ内の湯水の水位が上昇したか否かの判別を行う（Ｓ１）。ユーザが浴槽Ｂ内に入ると、湯水の水位が上昇する。水位検出センサ５は、その上昇を検出すると、検出信号がＩ／Ｏ部４５を介して計測側マイコン４３に伝達される。
【００４６】
計測側マイコン４３は、水位検出センサ５からの検出信号を受信すると、浴槽Ｂ内の湯水の水位が上昇したと判別し（Ｓ１：ＹＥＳ）、ユーザが浴槽Ｂ内に入ったことを認識する。次いで、計測側マイコン４３は、心拍電極６からの検出信号を監視し、心拍電極６からの検出信号を受信したか否かの判別を行う（Ｓ２）。
【００４７】
ユーザが浴槽Ｂ内に入ると、心拍電極６はユーザの心拍を検出し、心拍電極６によって検出された検出信号は、計測装置４の信号処理部４６に伝達される。信号処理部４６では、心拍電極６によって検出された心拍信号をアナログ−ディジタル変換した後、サンプリングし、所定のディジタル信号に変換した上で、それをＩ／Ｏ部４５を介して計測側マイコン４３に伝達する。
【００４８】
計測側マイコン４３は、信号処理部４６からの検出信号を受信すると、それを受信したと判別し（Ｓ２：ＹＥＳ）、その検出信号に基づいて、ユーザ（入浴者）の心拍数を計測する（Ｓ３）。計測側マイコン４３は、計測した心拍数をデータにして通信部４２および２芯線７を介して浴室リモコン３に伝達する。
【００４９】
浴室リモコン３は、伝達された心拍数のデータを受信すると、それを外部に報知する（Ｓ４）。すなわち、浴室リモコン３は、心拍数のデータを表示部３３に心拍数として表示する。また、浴室リモコン３は、心拍数を音声にして操作部３４のスピーカ３４ｇから出力させる。これにより、浴槽Ｂ内に入っているユーザは、浴室リモコン３における表示およびスピーカ３４ｇからの音声により、自己の心拍数を把握することができる。
【００５０】
なお、心拍数のデータは、給湯装置本体１から直接台所リモコン２に送られてもよく、台所リモコン２において表示や音声が出力されてもよい。これにより、台所リモコン２に近傍にいる者に対して入浴者の心拍数を報知することができる。
【００５１】
一方、ステップＳ２において、計測側マイコン４３は、心拍電極６からの検出信号が到達せず、それが受信されたと判別しない場合（Ｓ２：ＮＯ）、所定時間（たとえば５秒）経過したか否かの判別を行う（Ｓ５）。計測側マイコン４３は、所定時間経過しても心拍電極６からの検出信号が到達しない場合（Ｓ５：ＹＥＳ）、心拍電極６が故障している、または計測側マイコン４３と心拍電極６との接続線が断線していると認識する（Ｓ６）。その後、計測側マイコン４３は、心拍電極６が故障している旨をデータにして浴室リモコン３に伝達する。
【００５２】
浴室リモコン３は、伝達された、心拍電極６が故障している旨のデータを受信すると、それを外部に報知する（Ｓ７）。すなわち、浴室リモコン３は、心拍電極６が故障している旨（たとえば「センサエラー」を表す英数字）を表示部３３に表示する。また、浴室リモコン３は、心拍電極６が故障している旨を音声にしてスピーカ３４ｇから出力させる。これにより、浴槽Ｂ内の湯水に浸かっているユーザは、浴室リモコン３における表示およびスピーカ３４ｇからの音声により、心拍電極６が故障していることを把握することができる。
【００５３】
このように、この発明によれば、水位検出センサ５によってユーザが浴槽Ｂ内に浸かったことが検出された後で、心拍電極６からの心拍信号を受信するか否かを判別しているので、心拍電極６が故障しているか否かを容易に検出することができる。また、その検出結果を報知するので、ユーザに心拍数が計測できないことを把握させることができ、利便性の高い浴室システムを提供することができる。
【００５４】
なお、心拍電極６が故障している旨は、給湯装置本体１から直接台所リモコン２に送られてもよく、台所リモコン２において表示や音声が出力されてもよい。これにより、台所リモコン２に近傍にいる者に対して心拍電極６が故障していることを報知することができる。また、計測装置４において計測された心拍数のデータおよび心拍電極６が故障している旨は、一旦、給湯装置本体１に伝達し、その後、浴室マイコン３および台所マイコン２に間接的に伝達してもよい。
【００５５】
また、ユーザが浴槽Ｂ内に入ったか否かの判別に用いられる、浴槽Ｂ内に溜められた湯水の水位上昇を検出する方法としては、上記したような浴槽Ｂの水頭圧と大気圧との差圧に基づいて検出する方法に代えて、たとえば給湯装置本体１に設けられた圧力センサによって湯水の水位上昇を検出する方法を用いてもよい。すなわち、この圧力センサは、浴槽Ｂと給湯装置本体１とを接続する給湯配管（図示略）の一端である、給湯装置本体１側に設けられ、給湯配管内の圧力を検出することにより、浴槽Ｂ内に溜められた湯水の水位上昇を検出するものである。この圧力センサによって検出された検出信号は、計測側マイコン４３に送られ、ユーザが浴槽Ｂ内に入ったか否かの判別に用いられる。
【００５６】
また、ユーザが入浴していることを判別する方法としては、上記したように浴槽Ｂ内に溜められた湯水の水位上昇を検出することによりユーザが入浴したことを判別する方法に代えて、浴槽Ｂ周辺を移動するユーザを検出するための撮像センサ８（請求項に記載の撮像手段に相当）が用いられてユーザが入浴していることを判別するようにしてもよい。
【００５７】
撮像センサ８は、図７に示すように、浴室内の浴槽Ｂ上部の天井近傍などに配置されて設けられ、たとえば焦電型赤外線センサによって構成されている。この赤外線センサの出力は、浴室内に設けられた計測装置４あるいは給湯装置本体１に直接的に接続され、計測装置４あるいは給湯装置本体１には、赤外線センサによって撮像された撮像信号を処理するための信号処理部（図示略）が備えられる。なお、撮像センサとしては、上記の赤外線センサに限らず、固体撮像素子を有するカメラや人工網膜センサによって構成されていてもよい。要は、ユーザが浴槽Ｂ内にいることを検出することができるものであればよい。
【００５８】
また、ユーザが浴槽Ｂ内に入ったことを検出する方法としては、撮像センサによる方法に加えて、上記した水位検出センサ５や圧力センサなどを組み合わせて用いることも可能である。これにより、検出精度をより向上させることができる。
【００５９】
なお、この発明の範囲は上述した実施の形態に限定されるものではない。たとえば、給湯装置本体１に接続されるリモコンの数は、上記の実施形態に限定されるものではない。また、計測装置４は、給湯装置本体１内に設けられていてもよく、あるいは浴室リモコン３などと一体的に構成されていてもよい。これにより、通信経路が省略でき、伝送エラーの発生する割合を極力少なくすることができる。
【００６０】
【発明の効果】
本願発明によれば、入浴者検出手段によって浴槽内に入浴者がいることを検出した後で、心拍検出手段（たとえば心拍電極）によって検出された心拍信号を受信したか否かを判別し、その判別結果に基づいて心拍検出手段の故障の有無を検出するので、心拍検出手段の故障を容易に検出することができるとともに、この故障の有無をたとえば遠隔操作装置において報知するようにすれば、ユーザは、心拍検出手段の故障を容易に把握することができ、信頼性の高い浴室システムを提供することができる。
【図面の簡単な説明】
【図１】本願発明にかかる浴室システムを示す概略構成図である。
【図２】図１の浴室システムの電気的構成を示す図である。
【図３】台所リモコンの正面図である。
【図４】浴室リモコンの正面図である。
【図５】計測装置の内部構成を示す図である。
【図６】本浴室システムの作用を説明するためのフローチャートを示す図である。
【図７】変形例の浴室システムを示す概略構成図である。
【符号の説明】
１    給湯装置本体
２    台所リモコン
３    浴室リモコン
４    計測装置
５    水位検出センサ
６    心拍電極
８    撮像センサ
１２    本体側マイコン
２５    台所側マイコン
３５    浴室側マイコン
４３    計測側マイコン
【図１】
2004337413.tif 000003
【図２】
2004337413.tif 000004
【図３】
2004337413.tif 000005
【図４】
2004337413.tif 000006
【図５】
2004337413.tif 000007
【図６】
2004337413.tif 000008
【図７】
2004337413.tif 000009